(57)【要約】【課題】誘導加熱調理器を設置するキッチン天板その他の設置板から見て薄くコンパクトで、かつ、排熱性能に優れた組込み式誘導加熱調理器を提供する。【解決手段】誘導加熱調理器１は、上面が開口した形態の本体ケース２と、本体ケース内に収容された加熱コイル３と、本体ケースの上面に配置されるトッププレート４と、トッププレートの裏面縁部に装着されたトップ枠５と、を有し、本体ケースの上面開口の周囲には、トッププレートを支持する支持面６と、該支持面よりも低い凹部７１からなる排気通路７と、が連設されており、トップ枠は、本体ケース内の熱を外部へ排出する手段として、排気通路に連通する排気口ＥＸ１を有し、排気通路７を拡大する手段として、凹部７１の底面にスリットＳが複数設けられている。【選択図】図６
2019029249.tif 000002
【特許請求の範囲】
【請求項１】
上面が開口した形態の本体ケースと、
前記本体ケース内に収容された加熱コイルと、
前記本体ケースの上面に配置されるトッププレートと、
前記トッププレートの裏面縁部に装着されたトップ枠と、を有し、
前記本体ケースの上面開口の周囲には、前記トッププレートを支持する支持面と、該支持面よりも低い凹部からなる排気通路と、が連設されており、
前記トップ枠は、前記本体ケース内の熱を外部へ排出する手段として、前記排気通路に連通する排気口を有し、
前記排気通路を拡大する手段として、前記凹部の底面にスリットを複数設けたこと
を特徴とする誘導加熱調理器。
【請求項２】
前記本体ケースがキッチン天板の開口内に挿入された状態において、前記本体ケースの前記上面開口の周辺縁部が前記キッチン天板の開口の縁部に載ることによって、前記本体ケースは、前記キッチン天板の開口に取り付けられた状態になり、
前記本体ケースの取り付け状態において、前記キッチン天板の開口縁部から立ち上がった形態の水切り片と前記本体ケースの前記上面開口の周辺縁部との接触による干渉を回避する手段として、前記支持面および前記凹部の裏側には、前記水切り片が入り込み可能な逃げ溝が設けられており、
前記逃げ溝と前記スリットは連通し、
前記逃げ溝に入り込んだ前記水切り片は前記スリットから飛び出さない範囲に位置すること
を特徴とする請求項１に記載の誘導加熱調理器。
【請求項３】
前記トッププレートと前記トップ枠とが互いに異なる２色のツートーンカラー構造になっていること
を特徴とする請求項１または２に記載の誘導加熱調理器。
【発明の詳細な説明】
【技術分野】
【０００１】
本発明は、電磁誘導の原理を利用して調理器を発熱させる組込み式誘導加熱調理器に関し、特にその誘導加熱調理器を設置するキッチン天板その他の設置板から見て薄型で、かつ、排熱性能に優れたものである。
【背景技術】
【０００２】
従来、電磁誘導の原理を利用して調理器を発熱させる調理器として、誘導加熱調理器が知られており（例えば、特許文献１を参照）、この種の誘導加熱調理器は、その用途に応じて、システムキッチン等のキッチン天板に組み込んで使用される形式のものや、持ち運び可能な卓上型のものがある。
【０００３】
図７は、従来の誘導加熱調理器における排熱構造の説明図である。同図に示した従来の誘導加熱調理器１００は、上面が開口した形態の本体ケース２と、本体ケース２内に収容された加熱コイル（図示省略）と、本体ケース２の上面に配置されるトッププレート４と、トッププレート４の裏面縁部に装着されたトップ枠５と、を有している。
【０００４】
そして、本体ケース２の上面開口（図４の符号２１を参照）の周囲には、トッププレート４を支持する支持面６と、該支持面６よりも低い凹部７１からなる排気通路７と、が連設されており、トップ枠５は、本体ケース２内の熱を外部へ排出する手段として、排気通路７に連通する排気口ＥＸを有している。
【０００５】
ところで、前記のような構造からなる従来の誘導加熱調理器１００は、図７に示したように、キッチン天板ＢＤの開口（図４の符号Ｈを参照）に対して挿入される形態で設置される。一般的に、この種のキッチン天板ＢＤの開口の縁部には、上方に向けて立ち上がった形態の水切り片ＤＦが設けられており、従来の誘導加熱調理器１００における前記凹部７１は、キッチン天板ＢＤの表面から見て、前記のような水切り片ＤＦに干渉しない程度の高さ（具体的には、水切り片ＤＦが入り込み可能な逃げ溝ＥＳの深さに相当）が必要である。また、従来の誘導加熱調理器１００におけるトッププレート４と凹部７１の内底面との間には排気流路７となる空間が必要であり、かかる空間の断面高さが低いと、排気通路７を介する円滑な排気・排熱ができない。
【０００６】
そこで、従来の誘導加熱調理器１００において、排気・排熱性能を高めるために、前記排気通路７となる空間の断面高さを十分に確保するという方法が考えられる。しかし、この方法によると、トッププレート４の表面が高くなり、周囲のトップ枠５も厚くなってしまう、つまり、誘導加熱調理器１００を設置するキッチン天板ＢＤその他の設置板から見て、トッププレート４とトップ枠５からなるトップ部が厚くなり、トップ部の薄いコンパクトな誘導加熱調理器１００は得られない。
【先行技術文献】
【特許文献】
【０００７】
【特許文献１】特開２０１４−４４８１６号公報
【発明の概要】
【発明が解決しようとする課題】
【０００８】
本発明は前記問題点を解決するためになされたものであり、その目的は、誘導加熱調理器を設置するキッチン天板その他の設置板から見て薄くコンパクトで、かつ、排熱性能に優れた組込み式誘導加熱調理器を提供することである。
【課題を解決するための手段】
【０００９】
前記目的を達成するために、本発明は、上面が開口した形態の本体ケースと、前記本体ケース内に収容された加熱コイルと、前記本体ケースの上面に配置されるトッププレートと、前記トッププレートの裏面縁部に装着されたトップ枠と、を有し、前記本体ケースの上面開口の周囲には、前記トッププレートを支持する支持面と、該支持面よりも低い凹部からなる排気通路と、が連設されており、前記トップ枠は、前記本体ケース内の熱を外部へ排出する手段として、前記排気通路に連通する排気口を有し、前記排気通路を拡大する手段として、前記凹部の底面にスリットを複数設けたことを特徴とする。
【００１０】
前記本発明において、前記本体ケースがキッチン天板の開口内に挿入された状態において、前記本体ケースの前記上面開口の周辺縁部が前記キッチン天板の開口の縁部に載ることによって、前記本体ケースは、前記キッチン天板の開口に取り付けられた状態になり、前記本体ケースの取り付け状態において、前記キッチン天板の開口縁部から立ち上がった形態の水切り片と前記本体ケースの前記上面開口の周辺縁部との接触による干渉を回避する手段として、前記支持面および前記凹部の裏側には、前記水切り片が入り込み可能な逃げ溝が設けられており、前記逃げ溝と前記スリットは連通し、前記逃げ溝に入り込んだ前記水切り片は前記スリットから飛び出さない範囲に位置することを特徴としてもよい。
【００１１】
前記本発明において、前記トッププレートと前記トップ枠とが互いに異なる２色のツートーンカラー構造になっていることを特徴としてもよい。
【発明の効果】
【００１２】
本発明では、前述の通り、排気通路を拡大する手段として、凹部の底面にスリットを複数設けた。このため、排気通路の高さ寸法を増やす（具体的には、凹部の両側壁を高くする）ことによって排気通路を拡大する従来方式のように、排気通路の高さ寸法の増加に連動してトップ枠を厚く形成する必要はなく、トップ枠を可能な限り薄く設けることができる点で、誘導加熱調理器を設置するキッチン天板その他の設置板から見て薄くコンパクトで、かつ、排熱性能に優れた組込み式誘導加熱調理器を提供し得る。
【００１３】
また、本発明において、前述のツートーンカラー構造を採用したものは、トッププレートとトップ枠からなるトップ部全体を１色で統一したものと比べて、ツートーンカラーの境界線によってトップ部全体の厚さが薄く見えるように強調されるため、誘導加熱調理器を設置するキッチン天板その他の設置板から見て薄く見える組込み式誘導加熱調理器の提供に好適である。
【図面の簡単な説明】
【００１４】
【図１】図１は本発明を適用した組込み式誘導加熱調理器の平面図。
【図２】図２は図１の組込み式誘導加熱調理器においてトッププレートを外した状態の平面図。
【図３】図３は図１のＡ矢視断面図。
【図４】図４は図１のＢ矢視断面模式図。
【図５】図５は図１の組込み式誘導加熱料理器の背面模式図。
【図６】図６は本発明における排気通路を拡大する手段（スリット）とその周辺の模式図。
【図７】図７は従来の誘導加熱調理器における排熱構造の説明図（図６に対応）。
【発明を実施するための最良の形態】
【００１５】
以下、本発明を実施するための最良の形態について、添付した図面を参照しながら詳細に説明する。
【００１６】
図１は本発明を適用した組込み式誘導加熱調理器の平面図、図２は図１の組込み式誘導加熱調理器においてトッププレートを外した状態の平面図、図３は図１のＡ矢視断面図、図４は図１のＢ矢視断面模式図、図５は図１の組込み式誘導加熱料理器の背面模式図、図６は本発明における排気通路を拡大する手段（スリット）とその周辺の模式図である。
【００１７】
図１から図３を参照すると、本実施形態の組込み式誘導加熱調理器１（以下「誘導加熱調理器１」という）は、上面が開口した形態の本体ケース２と、本体ケース２内に収容された加熱コイル３と、本体ケース３の上面に配置されるトッププレート４と、トッププレート４の裏面縁部に装着されたトップ枠５とを有している。
【００１８】
《本体ケース２の詳細》
図４および図６を参照すると、本体ケース２の上面開口２１（以下「本体ケース上面開口２１」という）の周囲には、トッププレート４を支持する支持面７と、支持面７よりも低い凹部７１からなる排気通路７と、が連設されている。そして、排気通路７の一端７Ａは本体ケース２内に連通し、同排気通路７の他端７Ｂは、トップ枠５の内面に向って開口することで、後述の排気口ＥＸ１と対向するように構成してある。
【００１９】
図３、図４および図６に示したように、本体ケース２はキッチン天板ＢＤその他の設置板に取り付けられる。例えば、本体ケース２をキッチン天板ＢＤに取り付ける場合は、キッチン天板ＢＤの所定位置に開口Ｈが形成されている。そして、その開口Ｈ内に本体ケース２を挿入した状態において、本体ケース上面開口２１の周辺縁部２２がキッチン天板ＢＤの開口Ｈの縁部ＢＤ１に載ることによって、本体ケース２は、キッチン天板ＢＤの開口Ｈに取り付けられた状態になる。このような開口Ｈを利用した本体ケース２の取り付け構造は、キッチン天板ＢＤ以外の設置板に本体ケース２を取付ける場合にも適用される。
【００２０】
前記のような本体ケース２の取り付け状態において、キッチン天板ＢＤの開口Ｈの縁部ＢＤ１から立ち上がった形態の水切り片ＤＦと本体ケース上面開口２１の周辺縁部２２との接触による干渉を回避する手段として、本実施形態の誘導加熱調理器１では、支持面６および凹部７１の裏側に、前記のような水切り片ＤＦが入り込み可能な逃げ溝ＥＳを設けている。
【００２１】
また、本実施形態の誘導加熱調理器１では、先に説明した排気通路７を拡大する手段として、凹部７１の底面にスリットＳを複数設けている。このスリットＳの一端Ｓ１は、排気通路７の一端７Ａと同じく本体ケース２内に連通し、同スリットＳの他端Ｓ２は、排気通路７の他端７Ｂと同じくトップ枠５の内面に向って開口することで、後述の排気口ＥＸ１と対向するように設けられている。
【００２２】
スリットＳは逃げ溝ＥＳに連通し、また、その逃げ溝ＥＳに入り込んだ水切り片ＤＦはスリットＳから飛び出さない範囲に位置するように構成してある。従って、水切り片ＤＦによってスリットＳが遮られることはない。水切り片ＤＦは省略される場合もあり、この場合、水切り片ＤＦに対応する逃げ溝ＥＳや、前記のようなスリットＳと逃げ溝ＥＳとの連通構成、および水切り片ＤＦとスリットＳとの位置関係に関する構成は、省略される。
【００２３】
本体ケース２内には、加熱コイル３のほか、図示は省略するが、各種電装部品、例えば、加熱コイル３を制御する周知の制御基板や、本体ケース２内に空気の流れを形成することで、本体ケース２内の熱を後述の排気口ＥＸ１方向や本体ケース２側面の排気スリットＥＸ２方向へ移行させる周知の送風ファンなども収容されている。
【００２４】
図２に示したように、本体ケース２の正面側（具体的には、本体ケース上面開口２１の周辺縁部２２）には操作パネル８が取り付けられており、この操作パネル８に設けられている各種タッチボタンを操作することにより、ユーザは、加熱コイル３による加熱のＯＮ／ＯＦＦ操作や加熱温度の設定変更等を行うことができる。
【００２５】
《加熱コイル３の説明》
加熱コイル３は、電磁誘導の原理を利用してトッププレート４上の調理器を発熱させる手段として機能する。このような機能を備えた加熱コイル３の具体的な構成は周知であるため、その詳細説明は省略する。
【００２６】
《トッププレート４とトップ枠５の詳細》
トッププレート４は耐熱性ガラスで構成されている。一方、トップ枠５は、耐熱性樹脂で形成されるとともに、本体ケース２内の熱を外部へ排出する手段として、凹部７１（排気通路７）に連通する排気口ＥＸ１を複数有している。
【００２７】
本実施形態の誘導加熱調理器１では、トッププレート４やトップ枠５の具体的な構成例として、四角形のトッププレート４を採用するとともに、このトッププレート４の形状に対応して四角形のトップ枠５を採用しているが、これに限定されることはない。この種のトッププレート４やトップ枠５の具体的な形状は、必要に応じて適宜変更することができる。
【００２８】
また、本実施形態の誘導加熱調理器１では、トッププレート４の外周縁部に沿ってトップ枠５を環状に形成することにより、誘導加熱調理器１を側面から見たときに、トッププレート４の外周側面とトップ枠５の外周側面とが面一となって連続するように構成し、さらに、トッププレート４とトップ枠５とが互いに異なる２色のツートーンカラー構造となるように構成してある。
【００２９】
ツートーンカラー構造の一例として、例えばトッププレート４を黒色とする一方、トップ枠５を赤色とすることが考えられるが、この色の組合せに限定されることはない。色の組合せは必要に応じて適宜変更することができる。
【００３０】
《排熱動作の説明》
以上のように構成された本実施形態の誘導加熱調理器１において、加熱コイル３による加熱が始まると、本体ケース２内の図示しない送風ファンが作動し、本体ケース２の図示しない吸気口から本体ケース２内に外気が取り込まれ、本体ケース２内に空気の流れが形成される。本体ケース２内の熱気は、その空気の流れに乗って移動し、排気通路７およびスリットＳを通って排気口ＥＸ１から外部へ排気される。また、本体ケース２内の熱気は、排気スリットＥＸ２からも外部へ排気される。
【００３１】
以上説明したように、本実施形態の誘導加熱調理器１は、排気通路７を拡大する手段として、凹部７１の底面にスリットＳを複数設けたため、排気通路７の高さ寸法を増やす（具体的には、凹部７１の両側壁を高くする）ことによって排気通路７を拡大する従来方式のように、排気通路の高さ寸法の増加に連動してトップ枠を厚く形成する必要はなく、トップ枠を可能な限り薄く設けることができる点で、誘導加熱調理器を設置するキッチン天板ＢＤから見て薄くコンパクトで、かつ、排熱性能に優れたものである。
【００３２】
また、本実施形態の誘導加熱調理器１は、前述のツートーンカラー構造を採用したことから、トッププレート４とトップ枠５からなるトップ部全体を１色で統一したものと比べて、ツートーンカラーの境界線によってトップ部全体の厚さが薄く見えるように強調されるため、誘導加熱調理器を設置するキッチン天板その他の設置板から見て薄く見える誘導加熱調理器である。
【００３３】
本発明は、以上説明した実施形態に限定されるものではなく、本発明の技術的思想内で当分野において通常の知識を有する者により多くの変形が可能である。
【符号の説明】
【００３４】
１  誘導加熱調理器
２  本体ケース
２１  本体ケースの上面開口
２２  本体ケースの上面開口の周辺縁部
３  加熱コイル
４  トッププレート
５  トップ枠
６  支持面
７  排気通路
７Ａ  排気通路の一端
７Ｂ  排気通路の他端
７１  凹部
８  操作パネル
ＢＤ  キッチン天板
ＢＤ１  キッチン天板の開口の縁部
ＤＦ  水切り片
ＥＳ  逃げ溝
ＥＸ１  排気口
ＥＸ２  排気スリット
Ｈ  キッチン天板の開口
Ｓ  スリット
Ｓ１  スリットの一端
Ｓ２  スリットの他端
【図１】
2019029249.tif 000003
【図２】
2019029249.tif 000004
【図３】
2019029249.tif 000005
【図４】
2019029249.tif 000006
【図５】
2019029249.tif 000007
【図６】
2019029249.tif 000008
【図７】
2019029249.tif 000009